(57)【要約】  受信装置と通信する送信装置であって、多重するチャネルのうち少なくとも１つのチャネルの送信パラメータが異なるように設定する送信パラメータ制御部と、前記多重するチャネルの信号検出順を示す情報を前記受信装置に送信する送信部とを備える。
2009038178.tif 000002
【特許請求の範囲】
【請求項１】
受信装置と通信する送信装置であって、
多重するチャネルのうち少なくとも１つのチャネルの送信パラメータが異なるように設定する送信パラメータ制御部と、
前記多重するチャネルの信号検出順を示す情報を前記受信装置に送信する送信部と、
を備えることを特徴とする送信装置。
【請求項２】
前記多重するチャネルの送信パラメータを用いて、前記多重するチャネルの信号検出順を決定する信号検出順決定部を備え、
前記送信部は、前記信号検出順決定部が決定した前記信号検出順を示す情報を前記受信装置に送信することを特徴とする請求項１に記載の送信装置。
【請求項３】
多重するチャネルの信号検出順を決定する信号検出順決定部を備え、
前記送信パラメータ制御部は、前記信号検出順を用いて、多重するチャネルのうち少なくとも１つのチャネルの送信パラメータが異なるように設定し、
前記送信部は、前記信号検出順を示す情報を前記受信装置に送信することを特徴とする請求項１に記載の送信装置。
【請求項４】
前記送信部は、前記送信パラメータを用いて生成されるデータ信号と、前記信号検出順を示す検出順情報とを前記受信装置に送信することを特徴とする請求項１に記載の送信装置。
【請求項５】
前記信号検出順を示す情報は、前記信号検出順と関連付けられて設定された送信パラメータを示す送信パラメータ制御情報であり、
前記送信部は、前記送信パラメータを用いて生成されるデータ信号と、前記送信パラメータ制御情報とを前記受信装置に送信することを特徴とする請求項１に記載の送信装置。
【請求項６】
前記信号検出順を示す情報は、前記信号検出順と関連付けられて設定された送信パラメータを用いて生成されたデータ信号であり、
前記送信部は、前記データ信号を前記受信装置に送信することを特徴とする請求項１に記載の送信装置。
【請求項７】
前記送信パラメータ制御部は、多重するチャネルのうち少なくとも１つのチャネルの送信電力が他のチャネルの送信電力とは異なるように設定し、
前記送信部は、チャネルの送信電力の違いを用いて前記信号検出順を送信することを特徴とする請求項１に記載の送信装置。
【請求項８】
前記信号検出順として、送信電力を高く設定したチャネルほど信号検出順を早くする信号検出順決定部を備えることを特徴とする請求項７に記載の送信装置。
【請求項９】
前記送信パラメータ制御部は、多重するチャネルのうち少なくとも１つのチャネルの変調方式及び符号化率が他のチャネルの変調方式及び符号化率とは異なるように設定し、
前記送信部は、チャネルの変調方式及び符号化率の違いを用いて前記信号検出順を送信することを特徴とする請求項１に記載の送信装置。
【請求項１０】
前記信号検出順として、伝送レートの低い変調方式及び符号化率を設定したチャネルほど信号検出順を早くする信号検出順決定部を備えることを特徴とする請求項９に記載の送信装置。
【請求項１１】
前記送信パラメータ制御部は、多重するチャネルのうち少なくとも１つのチャネルの変調方式及び符号化率と送信電力が他のチャネルの変調方式及び符号化率と送信電力とは異なるように設定し、
前記送信部は、チャネルの変調方式及び符号化率と送信電力の違いを用いて前記信号検出順を送信することを特徴とする請求項１に記載の送信装置。
【請求項１２】
前記多重するチャネルをコード多重する多重部を備えることを特徴とする請求項１に記載の送信装置。
【請求項１３】
前記多重するチャネルを空間多重する多重部を備えることを特徴とする請求項１に記載の送信装置。
【請求項１４】
送信装置と通信する受信装置であって、
前記送信装置から信号検出順を取得する検出順取得部と、
前記検出順取得部が取得した検出順に基づいて複数のチャネルから信号を検出する信号検出部と、
を備えることを特徴とする受信装置。
【請求項１５】
前記複数のチャネルはコード多重されており、前記複数のチャネルに割り当てられた信号を分離する分離部を備えることを特徴とする請求項１４に記載の受信装置。
【請求項１６】
前記複数のチャネルは空間多重されており、前記複数のチャネルに割り当てられた信号を分離する分離部を備えることを特徴とする請求項１４に記載の受信装置。
【請求項１７】
送信装置と受信装置とを備える通信システムであって、
前記送信装置は、
多重するチャネルのうち少なくとも１つのチャネルの送信パラメータが異なるように設定する送信パラメータ制御部と、
前記多重するチャネルの信号検出順を示す情報を前記受信装置に送信する送信部とを備え、
前記受信装置は、
前記送信装置から信号検出順を取得する検出順取得部と、
前記検出順取得部が取得した検出順に基づいて複数のチャネルから信号を検出する信号検出部とを備えることを特徴とする通信システム。
【請求項１８】
前記送信装置は、多重するチャネルのうち少なくとも１つのチャネルの送信パラメータが異なるように設定する送信パラメータ制御部を備え、
前記送信装置の送信部は、前記送信パラメータを用いて生成されるデータ信号と、多重するチャネルの信号検出順を示す検出順情報とを前記受信装置に送信し、
前記受信装置の検出順取得部は、前記検出順情報から信号検出順を取得し、
前記受信装置の信号検出部は、前記検出順取得部が取得した検出順に基づいて複数のチャネルから信号を検出することを特徴とする請求項１７に記載の通信システム。
【請求項１９】
前記送信装置の送信部は、前記送信パラメータを用いて生成されるデータ信号と、多重するチャネルの信号検出順を示す情報として、前記信号検出順と関連付けられて設定された送信パラメータを示す送信パラメータ制御情報とを前記受信装置に送信し、
前記受信装置の検出順取得部は、前記送信パラメータ制御情報から、前記送信パラメータに関連付けられた信号検出順を取得することを特徴とする請求項１７に記載の通信システム。
【請求項２０】
前記送信装置の送信部は、多重するチャネルの信号検出順を示す情報として、前記信号検出順と関連付けられて設定された送信パラメータを用いて生成されたデータ信号を前記受信装置に送信し、
前記受信装置の検出順取得部は、前記データ信号に適用された送信パラメータを推定し、前記推定した送信パラメータから信号検出順を取得することを特徴とする請求項１７に記載の通信システム。
【請求項２１】
受信装置と通信する送信装置を用いた送信方法であって、
前記送信装置は、
多重するチャネルのうち少なくとも１つのチャネルの送信パラメータが異なるように設定する送信パラメータ制御過程と、
前記多重するチャネルの信号検出順を示す情報を前記受信装置に送信する送信過程と、
を実行することを特徴とする送信方法。
【発明の詳細な説明】
【技術分野】
【０００１】
本発明は、送信装置、受信装置、通信システム及び送信方法に関する。
本願は、２００７年９月２１日に、日本に出願された特願２００７−２４５６４９号に基づき優先権を主張し、その内容をここに援用する。
【背景技術】
【０００２】
無線インタフェースの基本技術として用いられるＭＣ−ＣＤＭＡ（Ｍｕｌｔｉ−Ｃａｒｒｉｅｒ  Ｃｏｄｅ  Ｄｉｖｉｓｉｏｎ  Ｍｕｌｔｉｐｌｅ  Ａｃｃｅｓｓ：マルチキャリア符号分割多元接続）方式、ＯＦＣＤＭ（Ｏｒｔｈｏｇｏｎａｌ  Ｆｒｅｑｕｅｎｃｙ  ａｎｄ  Ｃｏｄｅ  Ｄｉｖｉｓｉｏｎ  Ｍｕｌｔｉｐｌｅｘｉｎｇ：直交周波数・符号分割多重）方式の送信側では、情報シンボルを拡散率分の連続するサブキャリアに繰り返し（コピーし）、繰り返したサブキャリアに亘って拡散符号を乗算する（以下、これを周波数軸拡散と呼ぶ）。【０００３】
サブキャリアのシンボルは、分離可能な拡散符号で周波数軸拡散されているため、コード多重を行うことが可能となる。受信側では、所望の情報シンボルが拡散されている拡散符号を用いて逆拡散することにより、所望の情報シンボルを抽出し、各サブキャリアで伝送された情報を復元することで復調処理が行われる。【０００４】
以上のように動作するＭＣ−ＣＤＭＡ方式、ＯＦＣＤＭ方式については、例えば、非特許文献１に記載されている。ＭＣ−ＣＤＭＡ方式、ＯＦＣＤＭ方式の受信側において、コード多重された信号から精度よく情報シンボルを得るためには、拡散符号系列間の直交性が良好に維持されていることが必要である。しかしながら、移動体通信環境では、周波数選択性フェージングにより、情報シンボルを表す信号の振幅、位相が変動し、符号間の直交性が崩れることがある。【０００５】
図１８は、送信機から受信機に送信された信号がフェージングを受けていない場合の逆拡散処理の結果の一例を示す図である。図１８のグラフにおいて、横軸は周波数ｆを示しており、縦軸は受信電力ｐを示している。
図１８に示すように、各サブキャリアに亘ってチャネルＣＨ１にはＣ８．１の拡散符号（１，１，１，１，１，１，１，１）が各々乗算され、チャネルＣＨ２にはＣ８．２の拡散符号（１，１，１，１，−１，−１，−１，−１）が各々乗算される。そして、チャネルＣＨ１、チャネルＣＨ２がコード多重された信号がフェージングを受けていない伝搬路を通り、受信側において受信される。図１８では、この多重された信号について、チャネルＣＨ１に乗算されているＣ８．１の拡散符号（１，１，１，１，１，１，１，１）で逆拡散処理を行った場合を示している。
逆拡散処理の結果、Ｃ８．１の拡散符号（１，１，１，１，１，１，１，１）が乗算されているチャネルＣＨ１の成分は８となり、Ｃ８．２の拡散符号（１，１，１，１，−１，−１，−１，−１）が乗算されているチャネルＣＨ２の成分は０となり、かくしてチャネルＣＨ１の信号を抽出することができる。すなわち、チャネルＣＨ２は、チャネルＣＨ１に対して直交性が維持されている。【０００６】
図１９は、送信機から受信機に送信された信号がフェージングを受けている場合の逆拡散処理の結果の一例を示す図である。図１９のグラフにおいて、横軸は周波数ｆを示しており、縦軸は受信電力ｐを示している。
図１９に示すように、フェージングの結果、各サブキャリアに亘ってチャネルＣＨ１にはＣ´８．１の拡散符号（１，１，１，１，０．２５，０．２５，０．２５，０．２５）が各々乗算され、チャネルＣＨ２にはＣ´８．２の拡散符号（１，１，１，１，−０．２５，−０．２５，−０．２５，−０．２５）が各々乗算され、チャネルＣＨ１、チャネルＣＨ２がコード多重された信号がフェージングを受けた伝搬路を通り、受信側において受信されるとみなすことができる。図１９では、この多重された信号について、チャネルＣＨ１のＣ８．１の拡散符号（１，１，１，１，１，１，１，１）で逆拡散処理を行った場合を示している。
逆拡散処理の結果、チャネルＣＨ１の成分が５となり、チャネルＣＨ２の成分が３となり、結果として５＋３＝８の大きさの復調信号が得られるものの、ＣＨ１に対してＣＨ２の干渉成分が生じており、直交性が崩れている。【０００７】
図１９のように、受信側において、拡散符号系列間の直交性が崩れた状態で逆拡散処理をおこなうと、所望の情報シンボル以外の信号による干渉成分が大きくなり、精度よく情報シンボルを抽出することができなくなり、伝送品質が劣化してしまう問題が生じる。
このような問題を解決する手法として、非特許文献２、非特許文献３に示すような逐次型干渉キャンセラ（ＳＩＣ：Ｓｕｃｃｅｓｓｉｖｅ  Ｉｎｔｅｒｆｅｒｅｎｃｅ  Ｃａｎｃｅｌｌｅｒ）がある。非特許文献２、非特許文献３に開示されているＳＩＣは、コード多重している受信信号の中で、各チャネル信号の受信信号電力、あるいは、受信信号電力対干渉電力及び雑音電力比（ＳＩＮＲ：Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ）の大きいチャネル信号から順に、逆拡散、復調、復号し、情報シンボルの判定信号を得て、さらにその判定結果を用いて作成したレプリカ信号を受信信号から差し引いていく手順を使用している。【０００８】
このような手順を繰り返すことで、所望のチャネル信号以外の信号を精度よく取り除くことができ、拡散符号系列間の直交性の崩れに起因する特性劣化を抑えることが可能となる。
このように、各チャネルの受信信号電力あるいは、ＳＩＮＲにより決定した信号検出順により高速フーリエ変換（ＦＦＴ：Ｆａｓｔ  Ｆｏｕｒｉｅｒ  Ｔｒａｎｓｆｏｒｍ）の出力信号を順に減算した信号から各チャネルの情報信号を算出することにより、拡散符号系列の直交性の崩れによる特性劣化を抑えることが可能となる。
【非特許文献１】前田、新、安部田、佐和橋著「２次元拡散を用いるＶＳＦ−ＯＦＣＤＭとその特性」、電子情報通信学会技術報告ＲＣＳ２００２−６１、２００２年５月
【非特許文献２】石原、武田、安達著「ＤＳ−ＣＤＭＡ周波数領域ＭＡＩキャンセラ」、電子情報通信学会技術報告ＲＣＳ２００４−３１６、２００５年１月
【非特許文献３】秋田、須山、府川、鈴木著「ＭＣ−ＣＤＭＡの送信電力制御を用いた下り回線における干渉キャンセラ」、電子情報通信学会技術報告ＲＣＳ２００２−３５、２００２年４月
【発明の開示】
【発明が解決しようとする課題】
【０００９】
しかしながら、非特許文献２、非特許文献３に示すＳＩＣでは、各チャネル信号の受信信号電力、ＳＩＮＲなどの受信状態の推定結果に基づいてチャネル信号検出順を決定しなければならない。このため、無線受信装置側で、受信状態推定結果を比較して検出順を決定するという処理が必要となり、処理量が大きいという問題があった。【００１０】
本発明は、上記事情に鑑みてなされたものであり、その目的は、複数のチャネルが多重された信号を送信装置から受信した受信装置が、適切な順序で各コードチャネルを検出することができ、受信装置における処理量を減少させることができる送信装置、受信装置、通信システム及び送信方法を提供することにある。
【課題を解決するための手段】
【００１１】
（１）  本発明は、上記課題を解決するためになされたもので、本発明の一態様による送信装置は、受信装置と通信する送信装置であって、多重するチャネルのうち少なくとも１つのチャネルの送信パラメータが異なるように設定する送信パラメータ制御部と、前記多重するチャネルの信号検出順を示す情報を前記受信装置に送信する送信部と、を備える。
本発明では、送信パラメータ制御部が、多重するチャネルのうち少なくとも１つのチャネルの送信パラメータが異なるように設定し、送信部が、多重するチャネルの信号検出順を示す情報を前記受信装置に送信するようにしたため、複数のチャネルが多重された信号を送信装置から受信した受信装置が、適切な順序で各コードチャネルを検出することができ、受信装置における処理量を減少させることができる。【００１２】
（２）  また、本発明の一態様による送信装置は、前記多重するチャネルの送信パラメータを用いて、前記多重するチャネルの信号検出順を決定する信号検出順決定部を備え、前記送信部は、前記信号検出順決定部が決定した前記信号検出順を示す情報を前記受信装置に送信する。【００１３】
（３）  また、本発明の一態様による送信装置は、多重するチャネルの信号検出順を決定する信号検出順決定部を備え、前記送信パラメータ制御部は、前記信号検出順を用いて、多重するチャネルのうち少なくとも１つのチャネルの送信パラメータが異なるように設定し、前記送信部は、前記信号検出順を示す情報を前記受信装置に送信する。【００１４】
（４）  また、本発明の一態様による送信装置の前記送信部は、前記送信パラメータを用いて生成されるデータ信号と、前記信号検出順を示す検出順情報とを前記受信装置に送信する。【００１５】
（５）  また、本発明の一態様による送信装置において、前記信号検出順を示す情報は、前記信号検出順と関連付けられて設定された送信パラメータを示す送信パラメータ制御情報であり、前記送信部は、前記送信パラメータを用いて生成されるデータ信号と、前記送信パラメータ制御情報とを前記受信装置に送信する。【００１６】
（６）  また、本発明の一態様による送信装置において、前記信号検出順を示す情報は、前記信号検出順と関連付けられて設定された送信パラメータを用いて生成されたデータ信号であり、前記送信部は、前記データ信号を前記受信装置に送信する。【００１７】
（７）  また、本発明の一態様による送信装置の前記送信パラメータ制御部は、多重するチャネルのうち少なくとも１つのチャネルの送信電力が他のチャネルの送信電力とは異なるように設定し、前記送信部は、チャネルの送信電力の違いを用いて前記信号検出順を送信する。【００１８】
（８）  また、本発明の一態様による送信装置は、前記信号検出順として、送信電力を高く設定したチャネルほど信号検出順を早くする信号検出順決定部を備える。【００１９】
（９）  また、本発明の一態様による送信装置は、前記送信パラメータ制御部は、多重するチャネルのうち少なくとも１つのチャネルの変調方式及び符号化率が他のチャネルの変調方式及び符号化率とは異なるように設定し、前記送信部は、チャネルの変調方式及び符号化率の違いを用いて前記信号検出順を送信する。【００２０】
（１０）  また、本発明の一態様による送信装置は、前記信号検出順として、伝送レートの低い変調方式及び符号化率を設定したチャネルほど信号検出順を早くする信号検出順決定部を備える。【００２１】
（１１）  また、本発明の一態様による送信装置の前記送信パラメータ制御部は、多重するチャネルのうち少なくとも１つのチャネルの変調方式及び符号化率と送信電力が他のチャネルの変調方式及び符号化率と送信電力とは異なるように設定し、前記送信部は、チャネルの変調方式及び符号化率と送信電力の違いを用いて前記信号検出順を送信する。【００２２】
（１２）  また、本発明の一態様による送信装置は、前記多重するチャネルをコード多重する多重部を備える。【００２３】
（１３）  また、本発明の一態様による送信装置は、前記多重するチャネルを空間多重する多重部を備える。【００２４】
（１４）  また、本発明の一態様による受信装置は、送信装置と通信する受信装置であって、前記送信装置から信号検出順を取得する検出順取得部と、前記検出順取得部が取得した検出順に基づいて複数のチャネルから信号を検出する信号検出部と、を備える。【００２５】
（１５）  また、本発明の一態様による受信装置において、前記複数のチャネルはコード多重されており、前記複数のチャネルに割り当てられた信号を分離する分離部を備える。【００２６】
（１６）  また、本発明の一態様による受信装置は、前記複数のチャネルは空間多重されており、前記複数のチャネルに割り当てられた信号を分離する分離部を備える。【００２７】
（１７）  また、本発明の一態様による通信システムは、送信装置と受信装置とを備える通信システムであって、前記送信装置は、多重するチャネルのうち少なくとも１つのチャネルの送信パラメータが異なるように設定する送信パラメータ制御部と、前記多重するチャネルの信号検出順を示す情報を前記受信装置に送信する送信部とを備え、前記受信装置は、前記送信装置から信号検出順を取得する検出順取得部と、前記検出順取得部が取得した検出順に基づいて複数のチャネルから信号を検出する信号検出部とを備える。【００２８】
（１８）  また、本発明の一態様による通信システムは、前記送信装置は、多重するチャネルのうち少なくとも１つのチャネルの送信パラメータが異なるように設定する送信パラメータ制御部を備え、前記送信装置の送信部は、前記送信パラメータを用いて生成されるデータ信号と、多重するチャネルの信号検出順を示す検出順情報とを前記受信装置に送信し、前記受信装置の検出順取得部は、前記検出順情報から信号検出順を取得し、前記受信装置の信号検出部は、前記検出順取得部が取得した検出順に基づいて複数のチャネルから信号を検出する。【００２９】
（１９）  また、本発明の一態様による通信システムは、前記送信装置の送信部は、前記送信パラメータを用いて生成されるデータ信号と、多重するチャネルの信号検出順を示す情報として、前記信号検出順と関連付けられて設定された送信パラメータを示す送信パラメータ制御情報とを前記受信装置に送信し、前記受信装置の検出順取得部は、前記送信パラメータ制御情報から、前記送信パラメータに関連付けられた信号検出順を取得する。【００３０】
（２０）  また、本発明の一態様による通信システムは、前記送信装置の送信部は、多重するチャネルの信号検出順を示す情報として、前記信号検出順と関連付けられて設定された送信パラメータを用いて生成されたデータ信号を前記受信装置に送信し、前記受信装置の検出順取得部は、前記データ信号に適用された送信パラメータを推定し、前記推定した送信パラメータから信号検出順を取得する。【００３１】
（２１）  また、本発明の一態様による送信方法は、受信装置と通信する送信装置を用いた送信方法であって、前記送信装置は、多重するチャネルのうち少なくとも１つのチャネルの送信パラメータが異なるように設定する送信パラメータ制御過程と、前記多重するチャネルの信号検出順を示す情報を前記受信装置に送信する送信過程と、を実行する。
【発明の効果】
【００３２】
本発明の送信装置、受信装置、通信システム及び送信方法では、複数のチャネルが多重された信号を無線送信装置から受信した無線受信装置が、適切な順序で各コードチャネルを検出することができ、無線受信装置における処理量を減少させることができる。
【図面の簡単な説明】
【００３３】
【図１】本発明の第１の実施形態による無線送信装置１００ａの構成を示す概略ブロック図である。
【図２】本発明の第１の実施形態で用いるＭＣＳ情報の一例を示す図である。
【図３】本発明の第１の実施形態で使用する検出順の一例を示す図である。
【図４】本発明の第１の実施形態による無線受信装置２００ａの構成を示す概略ブロック図である。
【図５】本発明の第１の実施形態による受信データ検出部４０７（図４）の構成を示す概略ブロック図である。
【図６】本発明の第１の実施形態による逐次キャンセラ部５０２の構成を示す概略ブロック図である。
【図７】本発明の第１の実施形態によるコードチャネルレプリカ生成部６０３−ｍの構成を示す概略ブロック図である。
【図８】本発明の第１の実施形態による無線受信装置２００ａの受信処理を示すフローチャートである。
【図９】本発明の第２の実施形態による無線送信装置１００ｂの構成を示す概略ブロック図である。
【図１０】本発明の第２の実施形態による無線受信装置２００ｂの構成を示す概略ブロック図である。
【図１１】本発明の第２の実施形態で用いるテーブルを示す図である。
【図１２】本発明の第２の実施形態による無線受信装置の受信データ検出部４０７の構成を示す概略ブロック図である。
【図１３】本発明の第３の実施形態で用いるテーブルを示す図である。
【図１４】本発明の第３の実施形態による無線受信装置の受信データ検出部４０７の構成を示す概略ブロック図である。
【図１５】本発明の第３の実施形態による受信電力取得部１２０３（図１４）の構成を示す概略ブロック図である。
【図１６】本発明の第４の実施形態で用いるテーブルを示す図である。
【図１７】本発明の第４の実施形態による無線受信装置の受信データ検出部４０７の構成を示す概略ブロック図である。
【図１８】送信機から受信機に送信された信号がフェージングを受けていない場合の逆拡散処理の結果の一例を示す図である。
【図１９】送信機から受信機に送信された信号がフェージングを受けている場合の逆拡散処理の結果の一例を示す図である。
【符号の説明】
【００３４】
１００ａ・・・無線送信装置、１０１−ｕ・・・コードチャネル信号生成部、１０２・・・マルチプレクス部、１０３・・・ＩＦＦＴ部、１０４・・・ＧＩ挿入部、１０５・・・Ｄ／Ａ変換部、１０６・・・無線送信部、１０７・・・適応変調制御部、１０８・・・通知情報生成部、１０９・・・パイロット生成部、１１０・・・無線受信部、１１１・・・Ａ／Ｄ変換部、１１２・・・デマルチプレクス部、１１３・・・復調部、１１４・・・復号部、１１５・・・符号部、１１６・・・変調部、１１７・・・拡散部、２００ａ・・・無線受信装置、４０１・・・受信アンテナ、４０２・・・無線受信部、４０３・・・Ａ／Ｄ変換部、４０４・・・ＧＩ除去部、４０５・・・ＦＦＴ部、４０６・・・デマルチプレクス部、４０７・・・受信データ検出部、４０８・・・伝搬路推定部、４０９・・・適応復調制御部、４１０・・・ＭＣＳ決定部、４１１・・・報告情報生成部、４１２・・・符号部、４１３・・・変調部、４１４・・・マルチプレクス部、４１５・・・Ｄ／Ａ変換部、４１６・・・無線送信部
【発明を実施するための最良の形態】
【００３５】
以下、図面を参照し、本発明の第１〜第４の実施形態について説明する。始めに、本発明の第１の実施形態について説明する。なお、本発明は、携帯電話系システムにおいて、基地局装置から移動局装置への下り回線を利用した新たなデータ伝送システムに関する。
基地局装置および移動局装置はそれぞれ送受信機能を有するが、本発明は、上記のようにその骨子が基地局装置から移動局装置への無線通信にあるので、説明の便宜上、前者を無線送信装置と称し、後者を無線受信装置と称する。しかし、本発明は、上記のような基地局装置と移動局装置間の無線通信に限定されない。【００３６】
（第１の実施形態）
図１は、本発明の第１の実施形態による無線送信装置１００ａの構成を示す概略ブロック図である。
無線送信装置１００ａ（送信装置とも称する）は、コードチャネル信号生成部１０１−ｕ、マルチプレクス部１０２（多重部とも称する）、ＩＦＦＴ（逆高速フーリエ変換：Ｉｎｖｅｒｓｅ  Ｆａｓｔ  Ｆｏｕｒｉｅｒ  Ｔｒａｎｓｆｏｒｍ）部１０３、ＧＩ（ガードインターバル：Ｇｕａｒｄ  Ｉｎｔｅｒｖａｌ）挿入部１０４、Ｄ／Ａ（デジタル／アナログ：Ｄｉｇｉｔａｌ／Ａｎａｌｏｇ）変換部１０５、無線送信部１０６（送信部とも称する）、適応変調制御部１０７（送信パラメータ制御部とも称する）、通知情報生成部１０８（信号検出順決定部とも称する）、パイロット生成部１０９、無線受信部１１０、Ａ／Ｄ（アナログ／デジタル：Ａｎａｌｏｇ／Ｄｉｇｉｔａｌ）変換部１１１、デマルチプレクス部１１２、復調部１１３、復号部１１４を備えている。
また、コードチャネル信号生成部１０１−ｕはそれぞれ、符号部１１５、変調部１１６、拡散部１１７を備えている。
なお、コードチャネル信号生成部は全部でｕ個設けられているが、第ｕユーザに関係するコードチャネル信号生成部１０１−ｕをもって代表して表示した。【００３７】
第ｕユーザの送信データは、まずコードチャネル信号生成部１０１−ｕに入力され、各コードチャネル信号が生成される。コードチャネル信号生成部１０１−ｕでは、符号部１１５で畳み込み符号、ターボ符号等の誤り訂正符号を用いて誤り訂正符号化される。誤り訂正符号化された送信データは、変調部１１６でＱＰＳＫ（Ｑｕａｄｒａｔｕｒｅ  Ｐｈａｓｅ  Ｓｈｉｆｔ  Ｋｅｙｉｎｇ：４値位相偏移変調）、１６ＱＡＭ（１６  Ｑｕａｄｒａｔｕｒｅ  Ａｍｐｌｉｔｕｄｅ  Ｍｏｄｕｌａｔｉｏｎ：１６値直交振幅変調）等の変調シンボルにマッピングされる。【００３８】
符号部１１５における符号化率、変調部１１６における変調方式は適応変調制御部１０７から出力される適応変調制御情報に基づいて決まる。適応変調制御情報は、例えば、送信データ毎、送信データの送信先である無線受信装置毎、またはチャネル毎のＭＣＳ（Ｍｏｄｕｌａｔｉｏｎ  ａｎｄ  Ｃｏｄｉｎｇ  Ｓｈｅｍｅ：変調・符号化形式）を示す情報であるが、以降の実施形態では、適応変調制御情報（送信パラメータ制御情報）は、コードチャネル毎のＭＣＳを示す情報である場合について説明する。なお、本実施形態では、適応変調制御情報は必ずしもこれに限るものではない。【００３９】
図２は、本発明の第１の実施形態で用いるＭＣＳ情報の一例を示す図である。ＭＣＳは、変調方式と符号化率の組み合わせを示したものであり、ＭＣＳの数値が大きくなるにつれて伝送レートも大きくなる。ここでは、例えば、ＭＣＳが１の場合には、変調方式がＱＰＳＫであり１シンボルあたりの情報量は２ビットであり、符号化率が１／３が対応付けられている。
さらに、図２において、ＭＣＳが２のときは、変調方式がＱＰＳＫであり１シンボルあたりの情報量は２ビットであり、符号化率が１／２である。ＭＣＳが３のときは、変調方式が１６ＱＡＭであり１シンボルあたりの情報量は４ビットであり、符号化率は１／３である。ＭＣＳが４のときは変調方式がＱＰＳＫであり１シンボルあたりの情報量は２ビットであり、符号化率は３／４である。ＭＣＳが７のときは変調方式が６４ＱＡＭであり１シンボルあたりの情報量は６ビットであり、符号化率は３／４である。ＭＣＳが８のときは、変調方式は６４ＱＡＭであり１シンボルあたりの情報量は６ビットであり、符号化率は３／４である。つまり、ＭＣＳが１から８に増加するにつれて、変調方式による１シンボルあたりの情報量と、符号化率との積は増加しており、伝送レートは増加するものの、受信品質は減少する。【００４０】
図１に戻り、コードチャネル信号生成部１０１−ｕの出力は、他のコードチャネル信号生成部の出力とともに、マルチプレクス部１０２に入力され、通知情報生成部１０８の出力である制御信号（適応変調制御情報（各拡散符号に対応するチャネルにおける変調方式および符号化率を示す情報）と検出順の情報とを受信装置に通知するための信号）と、パイロット信号生成部１０９の出力であるパイロット信号とともに多重される。すなわち、適応変調制御情報と検出順の情報との信号は、新たな無線リソースを用いて送信される。
マルチプレクス部１０２の出力は、ＩＦＦＴ部１０３で周波数時間変換され、ＧＩ挿入部１０４でガードインターバルが挿入され、Ｄ／Ａ変換部１０５でＤ／Ａ変換され、無線送信部１０６で無線周波数に変換され、アンテナ１１８から無線受信装置に送信される。【００４１】
適応変調制御情報は、例えば、移動局装置である相手方の無線受信装置から送信された信号に基づいて生成される。まず、アンテナ１１８で受信された信号は、無線受信部１１０においてベースバンド信号に変換され、Ａ／Ｄ変換部１１１でＡ／Ｄ変換される。
Ａ／Ｄ変換部１１１の出力は、デマルチプレクス部１１２において、データシンボル系列と報告情報用シンボル系列とに分離される。デマルチプレクス部１１２から出力されたデータシンボル系列は、復調部１１３で復調処理を、復号部１１４で誤り訂正復号処理を施され、受信データが取り出される。【００４２】
一方、デマルチプレクス部１１２から出力された報告情報用シンボル系列は、適応変調制御部１０７に入力される。適応変調制御部１０７は、報告情報用シンボル系列が示す報告情報に基づき、例えば、変調方式や符号化率のような適応変調を行うための情報（適応変調制御情報）を生成し、生成した適応変調制御情報を符号部１１５と変調部１１６に出力する。さらに、適応変調制御部１０７は、通知情報生成部１０８に適応変調制御情報を出力し、通知情報生成部１０８では、検出順を決定し、適応変調制御情報と検出順を示す検出順情報とを無線受信装置に通知するための制御信号を生成する。なお、ここでは、まず適応変調制御部１０７が適応変調制御情報を決定し、通知情報生成部１０８が適応変調制御情報に基づいて検出順を決定する場合について説明するが、必ずしもこの順でなくても良い。例えば、適応変調制御部１０７が検出順を決定し、決定した検出順に基づいて適応変調制御情報を生成しても良い。この場合、通知情報生成部１０８は検出順を決定する必要はなく、適応変調制御部１０７が決定した検出順を示す検出順情報を生成すれば良い。適応変調制御情報と検出順との関係については後述する。【００４３】
図３は、本発明の第１の実施形態で使用する検出順の一例を示す図である。図３では、コードチャネルに対応するコード番号Ｃ１、Ｃ２、Ｃ３、・・・、ＣＮと検出順１、２、３、・・・、Ｎとが対応付けられている。コードチャネルとして、コード番号Ｃ１からコード番号ＣＮのＮ個（Ｎは２又は２よりも大きな自然数）の拡散符号に対応するチャネルが用いられた場合に、コード番号Ｃ１→Ｃ２→Ｃ３→・・・→ＣＮの順に、すなわち伝送レートの小さいものから大きいものへの順に検出することを示しており、検出順情報はこれらの順を示す情報である。【００４４】
本実施形態による無線送信装置１００ａでは、多重するチャネルのうち少なくとも１つのチャネルの送信パラメータ（本実施形態では、変調方式及び符号化率）が異なるように適応変調制御部１０７が設定し、多重するチャネルの信号検出順を示す情報（図３参照）を無線受信装置２００ａに無線送信部１０６が送信するようにしたが、これに限定されるものではない。【００４５】
例えば、本実施形態において、多重するチャネルの送信パラメータを用いて、多重するチャネルの信号検出順を通知情報生成部１０８が決定し、通知情報生成部１０８が決定した信号検出順を示す情報を無線受信装置２００ａに無線送信部１０６が送信するようにしても良い。【００４６】
また、本実施形態において、多重するチャネルの信号検出順を通知情報生成部１０８が決定し、その信号検出順を用いて、多重するチャネルのうち少なくとも１つのチャネルの送信パラメータが異なるように適応変調制御部１０７が設定し、その信号検出順を示す情報を無線受信装置２００ａに無線送信部１０６が送信するようにしても良い。【００４７】
また、本実施形態において、送信パラメータを用いて生成されるデータ信号と、信号検出順を示す検出順情報とを、無線受信装置２００ａに無線送信部１０６が送信するようにしても良い。【００４８】
また、本実施形態において、信号検出順を示す情報を、信号検出順と関連付けられて設定された送信パラメータを示す適応変調制御情報（送信パラメータ制御情報）とし、送信パラメータを用いて生成されるデータ信号と、適応変調制御情報とを無線受信装置２００ａに無線送信部１０６が送信するようにしても良い。【００４９】
また、本実施形態において、信号検出順を示す情報を、信号検出順と関連付けられて設定された送信パラメータを用いて生成されたデータ信号とし、データ信号を無線受信装置２００ａに無線送信部１０６が送信するようにしても良い。【００５０】
また、本実施形態において、多重するチャネルのうち少なくとも１つのチャネルの送信電力が他のチャネルの送信電力とは異なるように適応変調制御部１０７が設定し、チャネルの送信電力の違いを用いて信号検出順を無線送信部１０６が送信するようにしても良い。例えば、適応変調制御部１０７は、信号検出順として、送信電力を高く設定したチャネルほど信号検出順を早くするようにしても良い。【００５１】
また、本実施形態において、多重するチャネルのうち少なくとも１つのチャネルの変調方式及び符号化率が他のチャネルの変調方式及び符号化率とは異なるように適応変調制御部１０７が設定し、チャネルの変調方式及び符号化率の違いを用いて信号検出順を無線送信部１０６が無線受信装置２００ａに送信するようにしても良い。例えば、適応変調制御部１０７は、信号検出順として、伝送レートの低い変調方式及び符号化率を設定したチャネルほど信号検出順を早くするようにしても良い。【００５２】
また、本実施形態において、多重するチャネルのうち少なくとも１つのチャネルの変調方式及び符号化率と送信電力が他のチャネルの変調方式及び符号化率と送信電力とは異なるように適応変調制御部１０７が設定し、チャネルの変調方式及び符号化率と送信電力の違いを用いて信号検出順を無線送信部１０６が無線受信装置２００ａに送信するようにしても良い。【００５３】
また、本実施形態において、多重するチャネルをマルチプレクス部１０２がコード多重するようにしても良いし、多重するチャネルをマルチプレクス部１０２が空間多重するようにしても良い。【００５４】
図４は、本発明の第１の実施形態による無線受信装置２００ａの構成を示す概略ブロック図である。無線受信装置２００ａ（受信装置とも称する）は、例えば、第ｕユーザの移動局装置である通信先の端末である。無線受信装置２００ａは、受信アンテナ４０１、無線受信部４０２（検出順取得部とも称する）、Ａ／Ｄ変換部４０３、ＧＩ除去部４０４、ＦＦＴ（高速フーリエ変換：Ｆａｓｔ  Ｆｏｕｒｉｅｒ  Ｔｒａｎｓｆｏｒｍ）部４０５、デマルチプレクス部４０６（分離部とも称する）、受信データ検出部４０７（信号検出部とも称する）、伝搬路推定部４０８、適応復調制御部４０９、ＭＣＳ決定部４１０、報告情報生成部４１１、符号部４１２、変調部４１３、マルチプレクス部４１４、Ｄ／Ａ変換部４１５、無線送信部４１６を備えている。【００５５】
無線受信装置２００ａでは、アンテナ４０１で無線送信装置から送信された符号多重された信号が受信される。受信された信号は無線受信部４０２でベースバンド信号に変換され、Ａ／Ｄ変換部４０３でＡ／Ｄ変換され、ＧＩ除去部４０４でガードインターバルが除去され、ＦＦＴ部４０５で時間周波数変換される。
ＦＦＴ部４０５の出力は、デマルチプレクス部４０６に入力され、無線送信装置１００ａ側で多重されたパイロット信号と制御信号を分離する。パイロット信号は伝搬路推定部４０８に入力され、制御信号は適応復調制御部４０９に入力される。伝搬路推定部４０８は、パイロット信号に基づいて伝搬路推定を行い、サブキャリアごとの伝搬路推定値を求める。また、適応復調制御部４０９は、制御信号に基づいて、適応復調制御情報（各拡散符号に対応するチャネルにおける変調方式および符号化率を示す情報）および検出順情報を生成する。伝搬路推定値は、受信データ検出部４０７、ＭＣＳ決定部４１０に入力され、適応復調制御情報および検出順情報は受信データ検出部４０７に入力される。【００５６】
ＭＣＳ決定部４１０では、入力された伝搬路推定値に基づいてＭＣＳを決定し、ＭＣＳを示す情報を報告情報生成部４１１に出力する。報告情報生成部４１１では、ＭＣＳを示す情報を無線送信装置１００ａに報告するための報告用情報シンボル系列を生成し、マルチプレクス部４１４に出力する。
マルチプレクス部４１４は、符号化部４１２、変調部４１３において誤り訂正符号化・変調された送信データに報告情報用シンボル系列を多重する。マルチプレクス部４１４から出力された信号は、Ｄ／Ａ変換部４１５でＤ／Ａ変換され、無線送信部４１６でベースバンド信号から無線周波数に変換され、アンテナ４０１から無線送信装置１００ａに送信される。
受信データ検出部４０７では、無線送信装置１００ａから送信されたデータを検出する。【００５７】
図５は、本発明の第１の実施形態による受信データ検出部４０７（図４）の構成を示す概略ブロック図である。受信データ検出部４０７は、検出順取得部５０１、逐次キャンセラ部５０２を備えている。
無線受信装置２００ａでは、各無線送信装置１００ａで適応変調を行った信号が多重されて受信される。検出順取得部５０１は、検出順情報からコードチャネルの検出順を取得する。一例として、伝送レートの小さいものの検出順を最初にし、伝送レートの大きいものの検出順を後にするような検出順が無線送信装置１００ａから通知される。
一般的に、逐次キャンセラを用いて信号を検出する際、信頼度の高い信号から順に検出する方が良好な検出結果を得ることができる。なお、伝送レートの小さいものの方が、信号検出の信頼度が高い。【００５８】
その際、信頼度は無線送信装置１００ａにおいて設定される送信パラメータに依存する。このため、無線送信装置１００ａから通知された検出順に基づいて、無線受信装置２００ａで信号を検出することにより、受信品質を向上させることができる。つまり、受信データが正しく受信できる割合が上がるため、スループットを向上させることができる。
ただし、無線送信装置１００ａから通知される検出順は信頼度の高いものから低いものとするが、これは多少の変更を加えても良い。例えば、コード番号Ｃ１とコード番号Ｃ２のコードチャネルを優先して検出し、次にコード番号Ｃ３とコード番号Ｃ４のコードチャネルを優先して検出し、最後にその他のコードチャネルを検出するというような順を通知しても良い。この場合、受信装置は、コード番号Ｃ１→Ｃ２→Ｃ３→Ｃ４→・・・という順に検出しても良いし、コード番号Ｃ２→Ｃ１→Ｃ４→Ｃ３→・・・という順に検出しても良い。
また、受信電力やＳＩＮＲの大きい方の優先度を高くしても良い。いずれの場合も、無作為に検出するよりも受信品質は向上する。逐次キャンセラ部５０２には、複数のデータが多重されている受信信号と、検出順取得部５０１の出力である信号検出順通知信号と、適応復調制御部４０９の出力である適応復調制御情報と、伝搬路推定部４０８の出力である伝搬路推定値が入力され、無線送信装置１００ａから送信されたデータの検出を行う。【００５９】
図６は、本発明の第１の実施形態による逐次キャンセラ部５０２の構成を示す概略ブロック図である。逐次キャンセラ部５０２は、伝搬路補償部６０１−１、６０１−２〜６０１−Ｎ、コードチャネル信号検出部６０２−１、６０２−２〜６０２−Ｎ、コードチャネルレプリカ生成部６０３−１〜６０３−（Ｎ−１）、ＭＣＩレプリカ生成部６０４−１、６０４−２〜６０４−（Ｎ−１）、減算部６０５−２〜６０５−Ｎを有する。なお、コードチャネルレプリカ生成部６０３−（Ｎ−１）は、図示していない。
また、コードチャネル信号検出部６０２−１、６０２−２〜６０２−Ｎは、逆拡散部６０６−１、６０６−２〜６０６−Ｎ、復調部６０７−１、６０７−２〜６０７−Ｎ、復号部６０８−１、６０８−２〜６０８−Ｎを備えている。【００６０】
逐次キャンセラ部５０２には、信号除去順通知信号により設定された順序に従い、コードチャネル信号ごとにデータ検出および干渉除去を行う。以下、信号除去順は、図３に示したように、コード番号Ｃ１〜ＣＮの順に設定されているものとして説明する。【００６１】
まず、デマルチプレクス部４０６（図４）から入力された信号を伝搬路補償部６０１−１で、伝搬路推定部４０８（図４）で推定された伝搬路推定値に基づいて、公知のＺＦ（Ｚｅｒｏ−Ｆｏｒｃｉｎｇ：ゼロフォーシング）基準、ＭＭＳＥ（Ｍｉｎｉｍｕｍ  Ｍｅａｎ  Ｓｑｕａｒｅ  Ｅｒｒｏｒ：最小自乗誤差）基準等を用いた重み係数を用いて伝搬路補償を行う。
その後、コードチャネル信号検出部６０２−１でＣ１に対するデータを検出する。すなわち、伝搬路補償後の信号は、逆拡散部６０６−１ではコード番号Ｃ１の拡散コードを用いて逆拡散を行い、復調部６０７−１では、適応復調制御情報に含まれる変調方式に従って復調処理を行い、符号化ビットＬＬＲ（Ｌｏｇ  Ｌｉｋｅｌｉｈｏｏｄ  Ｒａｔｉｏ：対数尤度比）を出力する。【００６２】
復号部６０８−１では、符号化ビットＬＬＲについて適応復調制御情報に含まれる符号化率に従って誤り訂正復号処理を行い、Ｃ１に対する情報ビットを逐次キャンセラ部５０２の外部に出力するとともに、符号化ビットＬＬＲをコードチャネルレプリカ生成部６０３−１に出力する。
復号部６０８−１が出力した符号化ビットＬＬＲは、コードチャネルレプリカ生成部６０３−１に入力され、図１を用いて説明したコードチャネル信号生成部１０１−ｕのコード番号Ｃ１の拡散符号で符号拡散した出力のレプリカを生成する。
コードチャネルレプリカ生成部６０３−１の出力はＭＣＩレプリカ生成部６０４−１で、伝搬路推定部４０８（図４）より入力された伝搬路推定値を乗算され、コード番号Ｃ１に対するＭＣＩレプリカが生成される。コード番号Ｃ１に対するＭＣＩレプリカは、減算部６０５−２でデマルチプレクス部４０６（図４）より入力された信号から減算することで干渉除去が行われる。
このコード番号Ｃ１に対するＭＣＩレプリカを減算した信号を用いてコード番号Ｃ２に対するデータを検出する。【００６３】
コード番号Ｃ２の場合もコード番号Ｃ１の場合と同様の処理を行う。ただし、逆拡散部６０６−２で用いる拡散符号、復調部６０７−２で用いる変調方式、復号部６０８−２で用いる符号化率がそれぞれコード番号Ｃ２に対応したものになる。
コードチャネル信号検出部６０２−２は、Ｃ２に対する情報ビットを逐次キャンセラ部５０２の外部に出力するとともに、符号化ビットＬＬＲをコードチャネルレプリカ生成部６０３−２に出力する。
コード番号Ｃ１の場合と同様に符号化ビットＬＬＲからコードチャネルレプリカ生成部６０３−２でコード番号Ｃ２に対するコードチャネルレプリカを生成し、ＭＣＩレプリカ生成部６０４−２でコード番号Ｃ２に対するＭＣＩレプリカを生成する。そして、減算部６０５−３（図示省略）において、コード番号Ｃ１に対するＭＣＩレプリカが減算された信号から、コード番号Ｃ２に対するＭＣＩレプリカを減算する。
コード番号Ｃ２に対するＭＣＩレプリカが減算された信号を用いてコード番号Ｃ３に対するデータを検出する。このようなデータ検出、ＭＣＩレプリカ生成、ＭＣＩ除去という処理を、全てのコードチャネルＣ１〜ＣＮに対する情報ビットが検出されるまで行う。
すなわち、最後は、減算部６０５−Ｎにおいて、デマルチプレクス部４０６から入力された信号から、コード番号Ｃ１〜Ｃｎ−１に対応するＭＣＩレプリカを順次に減算した信号を減算する。減算部６０５−Ｎの出力を伝搬路補償部６０１−Ｎに入力して、これに伝搬路推定部からの伝搬路推定値を乗算し、その値を逆拡散部６０２−Ｎでコード番号ＣＮに対するデータを情報ビットとして出力する。
ただし、逆拡散部６０６−Ｎで用いる拡散コード、復調部６０７−Ｎで用いる変調方式、復号部６０８−Ｎで用いる符号化率はそれぞれコード番号ＣＮに対応したものとなる。【００６４】
次に、復調部６０７−１（図６）の処理を説明する。ここでは、ＱＰＳＫ変調を用いる場合について説明する。無線送信装置１００ａ側で送信されたＱＰＳＫシンボルをＸとし、無線受信装置２００ａ側における逆拡散後のシンボルをＸｃとする。Ｘを構成しているビットをｂ０、ｂ１（ｂ０、ｂ１＝±１）とするとＸは、以下の式（１）により表すことができる。【００６５】
【数１】
2009038178.tif 000003
【００６６】
ただし、ｊは虚数単位を表す。Ｘの無線受信装置２００ｂ側における推定値Ｘｃから、ビットｂ０のＬＬＲであるλ（ｂ０）を、以下の式（２）により求める。【００６７】
【数２】
2009038178.tif 000004
【００６８】
ただし、Ｒｅ（）は複素数の実部を表す。μは伝搬路補償後の等価振幅であり、例えば、第ｋサブキャリアにおける伝搬路推定値をＨ（ｋ）、乗算したＭＭＳＥ基準の伝搬路補償重みＷ（ｋ）とすると、μはＷ（ｋ）Ｈ（ｋ）となる。
なお、λ（ｂ１）は、式（２）のλ（ｂ０）の実部と虚部を置き換えることにより求めることができる。【００６９】
図７は、本発明の第１の実施形態によるコードチャネルレプリカ生成部６０３−ｍの構成を示す概略ブロック図である。ただしｍ＝１〜（Ｎ−１）である。
コードチャネルレプリカ生成部６０３−ｍは、シンボルレプリカ生成部７０１、拡散部７０３を備えている。
シンボルレプリカ生成部７０１で、入力された符号化ビットＬＬＲから、通知された変調方式に基づいて、変調シンボルのレプリカを生成する。次に、変調シンボルのレプリカは、拡散部７０３で、Ｃｍに対応する拡散符号で拡散され、出力される。【００７０】
次に、本発明の第１の実施形態によるシンボルレプリカ生成部７０１（図７）の処理について説明する。ここでは、ＱＰＳＫ変調を用いる場合について説明する。ＱＰＳＫ変調シンボルを構成するビットのＬＬＲをλ（ｂ０）、λ（ｂ１）とすると、ＱＰＳＫの変調シンボルのレプリカは、以下の式（３）で表すことができる。【００７１】
【数３】
2009038178.tif 000005
【００７２】
本実施形態による無線受信装置２００ａでは、無線送信装置１００ａから信号検出順を無線受信部４０２が取得し、無線受信部４０２が取得した検出順に基づいて複数のチャネルから信号を受信データ検出部４０７検出するようにした。
なお、デマルチプレクス部４０６は、コード多重又は空間多重されている複数のチャネルに割り当てられた信号を分離する。【００７３】
図８は、本発明の第１の実施形態による無線受信装置２００ａの受信処理を示すフローチャートである。まず、検出順情報から信号検出順を取得する（ステップＳ８０１）。以降のステップでは、ステップＳ８０１で決定した信号検出順に従ってユーザ毎に逐次的に干渉除去およびデータ検出を行う。
まず、信号検出順が最上位のユーザから処理を行う（ステップＳ８０２）。ステップＳ８０２で干渉除去を行う。ただし、最上位のユーザに関しては、干渉レプリカが生成できないため、干渉レプリカの値を零として干渉除去を行う。
干渉除去後の信号は、伝搬路補償、逆拡散、復調処理、復号処理を行って、データ検出を行う（ステップＳ８０３）。
そして、全ユーザのデータを検出したかどうかの判定を行い（ステップＳ８０４）、全ユーザのデータを検出している場合には、図８のフローチャートの処理を終了する。全ユーザのデータを検出していない場合には、ステップＳ８０４のデータ検出における復号処理の際に得られるＬＬＲより干渉レプリカを生成する（ステップＳ８０５）。そして、ステップＳ８０２でこの干渉レプリカにより干渉除去を行い、次の検出順のユーザのデータ検出を行う。【００７４】
このように、無線送信装置１００ａから無線受信装置２００ａに検出順を通知し、無線受信装置２００ａでは無線送信装置１００ａから通知された順に逐次的にデータ検出および除去していくことで、ユーザの受信品質が向上するため、スループットを向上させることが可能となる。【００７５】
（第２の実施形態）
次に、本発明の第２の実施形態について説明する。第１の実施形態では、無線送信装置から無線受信装置に検出順を通知する際に、検出順情報を送信するための新たな通信リソースを用いる場合について説明した。第２の実施形態では、予め、ＭＣＳ情報と検出順を関連付けする情報を、無線送信装置と無線受信装置との間で共有しておくことにより、新たな通信リソースを用いることなく、ＭＣＳ情報に関連付けて検出順情報を通知する。【００７６】
一般的に、逐次キャンセラを用いて信号を検出する際、信頼度の高い信号から順に検出する方が良好な検出結果を得ることができる。その際、信頼度は無線送信装置において設定されるＭＣＳに依存する。すなわち、伝送レートが小さい方が復号後のデータの信頼度が高く、伝送レートが大きいほうが復号後のデータの信頼度が低い傾向にある。
このため、伝送レートが小さい順に無線受信装置で信号を検出することにより、受信品質を向上させることができる。【００７７】
なお、ここでは、伝送レートを用いる場合について説明したが、伝送レートは一般的に変調および符号化方式（レートマッチング方式も含む）によって決まるものであり、これらの組合せによっては、必ずしも伝送レートが小さい方が復号後のデータの信頼度が高くならない場合があるが、その場合においても、復号後のデータの信頼度の順を知っていれば良い。【００７８】
本実施形態による通信システムの無線送信装置１００ａは、多重するチャネルのうち少なくとも１つのチャネルの送信パラメータが異なるように適応変調制御部１０７が設定し、多重するチャネルの信号検出順を示す情報を無線受信装置２００ａに無線送信部１０６が送信するようにした。また、本実施形態による通信システムの無線受信装置２００ａは、無線送信装置１００ａから信号検出順を無線受信部４０２が取得し、無線受信部４０２が取得した検出順に基づいて複数のチャネルから信号を受信データ検出部４０７が検出するようにした。なお、本実施形態による通信システムは、このような構成に限定されるものではない。【００７９】
例えば、本実施形態において、無線送信装置１００ａの適応変調制御部１０７が、多重するチャネルのうち少なくとも１つのチャネルの送信パラメータが異なるように設定し、無線送信装置１００ａの無線送信部１０６が、送信パラメータを用いて生成されるデータ信号と、多重するチャネルの信号検出順を示す検出順情報とを無線受信装置２００ａに送信し、無線受信装置２００ａの無線受信部４０２が、検出順情報から信号検出順を取得し、無線受信装置２００ａの受信データ検出部４０７が、無線受信部４０２が取得した検出順に基づいて複数のチャネルから信号を検出するようにしても良い。【００８０】
また、本実施形態において、無線送信装置１００ａの無線送信部１０６が、送信パラメータを用いて生成されるデータ信号と、多重するチャネルの信号検出順を示す情報として、信号検出順と関連付けられて設定された送信パラメータを示す適応変調制御情報（送信パラメータ制御情報）とを無線受信装置２００ａに送信し、無線受信装置２００ａの無線受信部４０２が、適応変調制御情報から、送信パラメータに関連付けられた信号検出順を取得するようにしても良い。【００８１】
また、本実施形態において、無線送信装置１００ａの無線送信部１０６が、多重するチャネルの信号検出順を示す情報として、信号検出順と関連付けられて設定された送信パラメータを用いて生成されたデータ信号を無線受信装置２００ａに送信し、無線受信装置２００ａの無線受信部４０２が、データ信号に適用された送信パラメータを推定し、その推定した送信パラメータから信号検出順を取得するようにしても良い。【００８２】
図９は、本発明の第２の実施形態による無線送信装置１００ｂの構成を示す概略ブロック図である。無線送信装置１００ｂは、第１の実施形態における無線送信装置（図１）とほぼ同様の構成を有するため、詳細な説明は省略する。
ただし、無線送信装置１００ｂの適応変調制御部１０７および通知情報生成部１０８が第１の実施形態とは異なる。【００８３】
図１０は、本発明の第２の実施形態による無線受信装置２００ｂの構成を示す概略ブロック図である。無線受信装置２００ｂは、第１の実施形態における無線受信装置（図４）とほぼ同様の構成を有するため、詳細な説明は省略する。
ただし、無線受信装置２００ｂにおける適応復調制御部４０９および受信データ検出部４０７が、第１の実施形態とは異なる。【００８４】
適応変調制御部１０７は、報告情報用シンボル系列が示す報告情報に基づき、例えば変調方式や符号化率のような適応変調を行うための情報（適応変調制御情報）を生成する。
その際、多重する複数のコードチャネルにおいて、少なくとも２種類のＭＣＳを選択する。生成した適応変調制御情報は、符号部１１５と変調部１１６に出力される。さらに、通知情報生成部１０８に適応変調制御情報が出力される。【００８５】
通知情報生成部１０８では、適応変調制御部１０７から出力された適応変調制御情報を無線受信装置に通知するための制御信号を生成し、マルチプレクス部１０２に出力する。
適応復調制御部４０９は、制御信号に基づいて、適応復調制御情報（各拡散符号に対応するチャネルにおける変調方式および符号化率を示す情報）を生成し、受信データ検出部４０７に出力する。【００８６】
図１１は、本発明の第２の実施形態で用いるテーブルを示す図である。このテーブルには、ＭＣＳ（変調方式と符号化率）とコード番号と検出順とが対応付けられて記録されている。この図１１に示すテーブルは、予め無線送信装置１００ｂと無線受信装置２００ｂとの間で共有されている。例えば、コード番号Ｃ１〜Ｃ７の７個の拡散符号に対応するチャネルが用いられ、それぞれのチャネルに割り当てる送信データに対応するＭＣＳレベルを１〜７とする。ここで、ＭＣＳレベルは図２に示すものと同様である。この場合、無線送信装置１００ｂがコード番号Ｃ１〜Ｃ７のそれぞれに対応するＭＣＳレベルを無線受信装置２００ｂに通知するだけで、無線受信装置２００ｂは、図１１に示すテーブルとコード番号Ｃ１〜Ｃ７のそれぞれに対応するＭＣＳレベルとからコード番号Ｃ１→Ｃ２→Ｃ３→Ｃ４→Ｃ５→Ｃ６→Ｃ７の順で検出することができる。【００８７】
図１２は、本発明の第２の実施形態による無線受信装置２００ｂの受信データ検出部４０７の構成を示す概略ブロック図である。受信データ検出部４０７は、検出順取得部１００１、逐次キャンセラ部１００２を備えている。無線受信装置２００ｂでは、無線送信装置２００ａで適応変調を行った信号が多重されて受信されている。
検出順取得部１００１は、図１１で説明したＭＣＳ−検出順対応情報を記憶しており、ＭＣＳ−検出順対応情報と適応復調制御情報（各拡散符号に対応するチャネルにおける変調方式および符号化率を示す情報）とから、通知されたコードチャネルの検出順を取得する。検出順を取得する方法としては、前述した図１１を用いた例のような方法を用いることができる。
ただし、適応復調制御情報とＭＣＳ−検出順対応情報とから得られる検出順は、一意に決まるものでなくても良い。例えば、コード番号Ｃ１とコード番号Ｃ２のコードチャネルではＭＣＳレベルが１であり、次にＣ３とＣ４のコードチャネルではＭＣＳレベルが２であり、その他のコードチャネルではＭＣＳレベルが３である場合、無線受信装置２００ｂは、Ｃ１→Ｃ２→Ｃ３→Ｃ４→・・・という順に検出しても良いし、Ｃ２→Ｃ１→Ｃ４→Ｃ３→・・・という順に検出しても良い。【００８８】
検出順取得部１００１は、検出順を取得した後、検出順を示す信号検出順通知信号と適応復調制御情報とを逐次キャンセラ部１００２に出力する。逐次キャンセラ部１００２は、複数のデータが多重されている受信信号と、検出順取得部１００１の出力である信号検出順通知信号および適応復調制御情報と、伝搬路推定部４０８の出力である伝搬路推定値が入力され、無線送信装置１００ｂから送信されたデータの検出を行う。なお、逐次キャンセラ部１００２は逐次キャンセラ部５０２と同様の構成で実現することができるため、その説明を省略する。【００８９】
このように、無線送信装置１００ｂから無線受信装置２００ｂに検出順を、ＭＣＳを通知するための情報に関連付けて通知し、無線受信装置２００ｂでは無線送信装置１００ｂから通知された順に逐次的にデータ検出および除去していくことで、ユーザの受信品質が向上するため、スループットを向上させることが可能となる。【００９０】
（第３の実施形態）
第２の実施形態では、予めＭＣＳ情報と検出順を関連付けする情報（図１１参照）を、無線送信装置と無線受信装置との間で共有しておくことにより、新たな通信リソースを用いることなく、ＭＣＳ情報に関連付けて検出順情報を通知する場合について説明した。
第３の実施形態では、予め送信電力と検出順を関連付けする情報を、無線送信装置と無線受信装置との間で共有しておくことにより、新たな通信リソースを用いることなく、送信電力に関連付けて検出順情報を通知する。【００９１】
一般的に、逐次キャンセラを用いて信号を検出する際、信頼度の高い信号から順に検出する方が良好な検出結果を得ることができる。その際、信頼度は無線送信装置において設定される送信電力に依存する。すなわち、送信電力が大きい方が復号後のデータの信頼度が高く、送信電力が小さい方が復号後のデータの信頼度が低い傾向にある。
このため、送信電力（無線受信装置では受信電力）が大きい順に無線受信装置で信号を検出することにより、受信品質を向上させることができる。【００９２】
第３の実施形態の無線送信装置と無線受信装置はそれぞれ、第１の実施形態の無線送信装置（図１）と無線受信装置（図４）とほぼ同様であるため、それらの説明を省略する。
ただし、無線送信装置（図１）における適応変調制御部１０７、通知情報生成部１０８および変調部１１６と、無線受信装置（図４）における適応復調制御部４０９および受信データ検出部４０７が、第１の実施形態とは異なる。【００９３】
適応変調制御部１０７は、報告情報用シンボル系列が示す報告情報に基づき、例えば、変調方式や符号化率のような適応変調を行うための情報（適応変調制御情報）と送信電力制御を行うための情報（送信電力制御情報、振幅制御情報）を生成する。その際、多重する複数のコードチャネルにおいて、少なくとも２種類の送信電力を設定する。生成した適応変調制御情報は符号部１１５と変調部１１６および通知情報生成部１０８に、送信電力制御情報は変調部１１６にそれぞれ出力する。【００９４】
通知情報生成部１０８では、適応変調制御部１０７から出力された適応変調制御情報を無線受信装置に通知するための制御信号を生成し、マルチプレクス部１０２に出力する。
変調部１１６は、符号化部１１５から出力された信号をＱＰＳＫ、１６ＱＡＭ等の変調シンボルにマッピングするとともに、適応変調制御部１０７から出力される送信電力制御情報に基づいて変調シンボルの振幅を変更して出力する。このとき、送信電力制御情報があるコードチャネルにおける送信電力を大きくすることを示している場合は、変調シンボルの振幅を大きく変更し、送信電力を小さくすることを示している場合は、変調シンボルの振幅を小さく変更するなどの処理を行う。
適応復調制御部４０９は、制御信号に基づいて、適応復調制御情報（各拡散符号に対応するチャネルにおける変調方式および符号化率を示す情報）を生成し、受信データ検出部４０７に出力する。【００９５】
図１３は、本発明の第３の実施形態で用いるテーブルを示す図である。このテーブルには、送信電力オフセットと検出順とが対応付けられて記録されている。この図１３のテーブルは、予め無線送信装置と無線受信装置との間で共有されている。例えば、Ｃ１、Ｃ２、Ｃ３の３個の拡散符号に対応するチャネルが用いられ、それぞれのチャネルに割り当てる送信データに対応する送信電力レベル（受信電力測定値、送信電力オフセット値）を＋２、＋１、０とする。この場合、無線送信装置がＣ１、Ｃ２、Ｃ３のそれぞれに対応する送信電力オフセット値を無線受信装置に通知する（あるいは単に無線受信装置が受信電力を測定する）だけで、無線受信装置は、図１３に示すテーブルとＣ１、Ｃ２、Ｃ３のそれぞれに対応する送信電力オフセット値とからＣ１→Ｃ２→Ｃ３の順で検出することができる。【００９６】
図１４は、本発明の第３の実施形態による無線受信装置の受信データ検出部４０７の構成を示す概略ブロック図である。受信データ検出部４０７は、検出順取得部１２０１、逐次キャンセラ部１２０２、受信電力取得部１２０３を備えている。
無線受信装置では各無線送信装置で適応変調を行った信号が多重されて受信されている。受信電力取得部１２０３は、伝搬路推定部４０８の出力である伝搬路推定値とデマルチプレクス部４０６で分離された信号とに基づいて、受信電力情報（各拡散符号に対応するチャネルにおける受信電力（送信電力オフセット値）を示す情報）を生成して、検出順取得部１２０１に出力する。【００９７】
検出順取得部１２０１は、送信電力オフセット値−検出順対応情報（図１３参照）を記憶しており、送信電力オフセット値−検出順対応情報と受信電力情報とから、通知されたコードチャネルの検出順を取得する。検出順を取得する方法としては、前述した図１３を用いた例のような方法を用いることができる。ただし、適応復調制御情報と送信電力オフセット値−検出順対応情報とから得られる検出順は、一意に決まるものでなくても良い。
例えば、Ｃ１とＣ２のコードチャネルでは送信電力オフセット値が＋２であり、次にＣ３とＣ４のコードチャネルでは送信電力オフセット値が＋１であり、その他のコードチャネルでは送信電力オフセット値が０である場合、受信装置は、Ｃ１→Ｃ２→Ｃ３→Ｃ４→・・・という順に検出しても良いし、Ｃ２→Ｃ１→Ｃ４→Ｃ３→・・・という順に検出しても良い。【００９８】
検出順取得部１２０１は、検出順を取得した後、検出順を示す信号検出順通知信号を出力する。逐次キャンセラ部１２０２は、複数のデータが多重されている受信信号と、検出順取得部１２０１の出力である信号検出順通知信号と、適応復調制御４０９の出力である適応復調制御情報と、伝搬路推定部４０８の出力である伝搬路推定値が入力され、無線送信装置から送信されたデータの検出を行う。なお、逐次キャンセラ部１２０２は逐次キャンセラ部５０２と同様の構成で実現することができるため、その説明を省略する。【００９９】
図１５は、本発明の第３の実施形態による受信電力取得部１２０３（図１４）の構成を示す概略ブロック図である。受信電力取得部１２０３は、伝搬路補償部１３０１、逆拡散部１３０２−１〜１３０２−Ｎと、電力算出部１３０３−１〜１３０３−Ｎを備えている。
伝搬路補償部１３０１は、デマルチプレクス部４０６の出力である受信信号に、伝搬路推定部４０８の出力である伝搬路推定値に基づいて伝搬路補償を施し、補償後の受信信号を、逆拡散部１３０２−１〜１３０２−Ｎに出力する。【０１００】
逆拡散部１３０２−１〜１３０２−Ｎはそれぞれ、伝搬路補償部１３０１から出力された補償後の受信信号を、拡散符号Ｃ１〜ＣＮを用いて逆拡散処理を行う。電力算出部１３０３−１〜１３０３−Ｎは、逆拡散部１３０２−１〜１３０２−Ｎにおいて逆拡散された信号の振幅に基づいて、拡散符号Ｃ１〜ＣＮに対応するコードチャネルのそれぞれにおける受信電力を算出し（例えば、振幅を２乗する、あるいは振幅の対数を算出して所定の係数を乗算するなど）、算出した受信電力を示す情報である受信電力情報を出力する。
なお、伝搬路補償部１３０１および逆拡散部１３０２−１〜１３０２−Ｎは、それぞれ図６における伝搬路補償部６０１および逆拡散部６０６−１〜６０６−Ｎと同様のブロックで実現することができる。【０１０１】
なお、本実施形態では、適応変調制御部１０７が送信電力を決定し、変調部１１６において送信電力を変更する場合について説明したが、送信電力を変更する方法はこれに限るものではない。例えば、マルチプレクス部４１４で多重した後に、所定のサブキャリアの振幅を変更するような方法でも良いし、その他の時点で振幅を変更するような構成としても良い。【０１０２】
このように、無線送信装置から無線受信装置に検出順を、チャネルの送信電力に関連付けて通知し、無線受信装置では無線送信装置から通知された順に逐次的にデータ検出および除去していくことで、ユーザの受信品質が向上するため、スループットを向上させることが可能となる。【０１０３】
（第４の実施形態）
第２の実施形態では、予めＭＣＳ情報と検出順を関連付けする情報を、無線送信装置と無線受信装置との間で共有しておくことにより、新たな通信リソースを用いることなく、ＭＣＳ情報に関連付けて検出順情報を通知する場合について説明した。また、第３の実施形態では、予め送信電力と検出順を関連付けする情報を、無線送信装置と無線受信装置との間で共有しておくことにより、新たな通信リソースを用いることなく、送信電力に関連付けて検出順情報を通知する場合について説明した。
第４の実施形態では、予め送信電力とＭＣＳ情報の組合せと検出順とを関連付けする情報を、無線送信装置と無線受信装置との間で共有しておくことにより、新たな通信リソースを用いることなく、送信電力とＭＣＳ情報の組合せに関連付けて検出順情報を通知する。【０１０４】
第４の実施形態による無線送信装置と無線受信装置（図４）は、第１の実施形態による無線送信装置（図１）と無線受信装置（図４）とほぼ同様の構成であるので、それらの説明を省略する。ただし、無線送信装置（図１）における適応変調制御部１０７、通知情報生成部１０８および変調部１１６と、無線受信装置（図４）における適応復調制御部４０９および受信データ検出部４０７が、第１の実施形態とは異なる。【０１０５】
適応変調制御部１０７は、報告情報用シンボル系列が示す報告情報に基づき、例えば変調方式や符号化率のような適応変調を行うための情報（適応変調制御情報）と送信電力制御を行うための情報（送信電力制御情報、振幅制御情報）を生成する。その際、多重する複数のコードチャネルにおいて、送信電力とＭＣＳの組合せを少なくとも２種類設定する。生成した適応変調制御情報は符号部１１５と変調部１１６および通知情報生成部１０８に、送信電力制御情報は変調部１１６にそれぞれ出力する。【０１０６】
通知情報生成部１０８では、適応変調制御部１０７から出力された適応変調制御情報を無線受信装置に通知するための制御信号を生成し、マルチプレクス部１０２に出力する。
変調部１１６は、符号化部１１５から出力された信号をＱＰＳＫ、１６ＱＡＭ等の変調シンボルにマッピングするとともに、適応変調制御部１０７から送られる送信電力制御情報に基づいて変調シンボルの振幅を変更して出力する。このとき、送信電力制御情報があるコードチャネルにおける送信電力を大きくすることを示している場合は、変調シンボルの振幅を大きく変更し、送信電力を小さくすることを示している場合は、変調シンボルの振幅を小さく変更するなどの処理を行う。
適応復調制御部４０９は、制御信号に基づいて、適応復調制御情報（各拡散符号に対応するチャネルにおける変調方式および符号化率を示す情報）を生成し、受信データ検出部４０７に出力する。【０１０７】
図１６は、本発明の第４の実施形態で用いるテーブルを示す図である。この図１６のテーブルには、送信電力オフセット値と、ＭＣＳと、検出順とが対応付けられて記録されている。この図１６に示すテーブルは、予め無線送信装置と無線受信装置との間で共有されている。例えば、Ｃ１、Ｃ２、Ｃ３、Ｃ４の３個の拡散符号に対応するチャネルが用いられ、それぞれのチャネルに割り当てる送信データに対応する送信電力レベル（受信電力測定値、送信電力オフセット値）を＋２、＋１、０、＋１であり、ＭＣＳレベルを１、２、１、３とする。この場合、送信装置がＣ１、Ｃ２、Ｃ３、Ｃ４のそれぞれに対応する送信電力オフセット値およびＭＣＳレベルを受信装置に通知する（あるいは単にＭＣＳレベルのみを通知し、無線受信装置が受信電力を測定する）だけで、無線受信装置は図１６に示すテーブルとＣ１、Ｃ２、Ｃ３、Ｃ４のそれぞれに対応する送信電力オフセット値とＭＣＳレベルの組合せとからＣ１→Ｃ２→Ｃ３→Ｃ４の順で検出することができる。【０１０８】
図１７は、本発明の第４の実施形態による無線受信装置の受信データ検出部４０７の構成を示す概略ブロック図である。受信データ検出部４０７は、検出順取得部１５０１、逐次キャンセラ部１５０２、受信電力取得部１５０３を備えている。
無線受信装置では、各無線送信装置で適応変調を行った信号が多重されて受信される。
受信電力取得部１５０３は、伝搬路推定部４０８の出力である伝搬路推定値とデマルチプレクス部４０６で分離された信号とに基づいて、受信電力情報（各拡散符号に対応するチャネルにおける受信電力（送信電力オフセット値）を示す情報）を生成して、検出順取得部１５０１に出力する。【０１０９】
検出順取得部１５０１は、送信電力オフセット値−ＭＣＳ−検出順対応情報を記憶しており、送信電力オフセット値−ＭＣＳ−検出順対応情報と受信電力情報および適応復調制御部の出力である適応復調制御情報とから、通知されたコードチャネルの検出順を取得する。取得する方法としては、前述した図１６を用いた例のような方法を用いることができる。
ただし、適応復調制御情報と送信電力オフセット値−ＭＣＳ−検出順対応情報とから得られる検出順は、一意に決まるものでなくても良い。例えば、Ｃ１とＣ２のコードチャネルでは送信電力オフセット値が＋２、ＭＣＳレベルはともに１であり、次にＣ３とＣ４のコードチャネルでは送信電力オフセット値が＋１、ＭＣＳレベルはともに２であり、その他のコードチャネルでは送信電力オフセット値が０、ＭＣＳレベルはともに３である場合、受信装置は、Ｃ１→Ｃ２→Ｃ３→Ｃ４→・・・という順に検出しても良いし、Ｃ２→Ｃ１→Ｃ４→Ｃ３→・・・という順に検出しても良い。【０１１０】
検出順取得部１５０１は、検出順を取得した後、検出順を示す信号検出順通知信号を出力する。逐次キャンセラ部１５０２は、複数のデータが多重されている受信信号と、検出順取得部１５０１の出力である信号検出順通知信号と、適応復調制御４０９の出力である適応復調制御情報と、伝搬路推定部４０８の出力である伝搬路推定値が入力され、無線送信装置から送信されたデータの検出を行う。なお、受信電力取得部１５０２と逐次キャンセラ部１５０２は、それぞれ受信電力取得部１２０２と逐次キャンセラ部５０２と同様の構成で実現することができるため、それらの説明を省略する。【０１１１】
このように、無線送信装置から無線受信装置に検出順を、チャネルの送信電力とＭＣＳレベルに関連付けて通知し、無線受信装置では無線送信装置から通知された順に逐次的にデータ検出および除去していくことで、ユーザの受信品質が向上するため、スループットを向上させることが可能となる。【０１１２】
なお、第２の実施形態から第４の実施形態では、送信パラメータとして送信データに施すＭＣＳ（変調方式や符号化率）と送信電力を例示し、無線送信装置において複数の異なるチャネルに対して複数種類の送信パラメータを適用することで、チャネルの検出順を通知し、無線受信装置は通知された検出順に基づいて信号検出を行う場合について説明したが、これに限られるものではない。例えば、拡散率、送信アンテナ重み、使用する拡散符号など、復号結果の信頼度に影響を与える他の送信パラメータを用いることもできる。【０１１３】
以上、本発明の各実施形態をコード多重の場合について説明してきたが、ＭＩＭＯ（Ｍｕｌｔｉｐｌｅ  Ｉｎｐｕｔ  Ｍｕｌｔｉｐｌｅ  Ｏｕｔｐｕｔ：多入力多出力）やＩＤＭＡ（Ｉｎｔｅｒｌｅａｖｅｄ  Ｄｉｖｉｓｉｏｎ  Ｍｕｌｔｉｐｌｅ  Ａｃｃｅｓｓ）等のユーザ多重方式における信号検出にも適用可能である。また、上記各実施形態では、マルチキャリア伝送の場合の説明を行ったが、シングルキャリア伝送の場合に、例えばコード多重を行うＣＤＭＡ（Ｃｏｄｅ  Ｄｉｖｉｓｉｏｎ  Ｍｕｌｔｉｐｌｅ  Ａｃｃｅｓｓ：符号分割多元接続）の場合も同様に可能である。【０１１４】
なお、上記各実施形態では、無線送信装置と無線受信装置とを備える無線通信システムに適用する場合について説明したが、これに限定されるものではなく、無線通信システム以外の通信システムに適用しても良い。例えば、ＰＬＣ（Ｐｏｗｅｒ  Ｌｉｎｅ  Ｃｏｍｍｕｎｉｃａｔｉｏｎｓ：電力線通信）などの有線通信システムに適用しても良い。【０１１５】
なお、以上説明した実施形態において、図１の無線送信装置１００ａの各部や、図４の無線受信装置２００ａの各部の機能を実現するためのプログラムをコンピュータ読み取り可能な記録媒体に記録して、この記録媒体に記録されたプログラムをコンピュータシステムに読み込ませ、実行することにより無線送信装置や無線受信装置の制御を行っても良い。なお、ここでいう「コンピュータシステム」とは、ＯＳや周辺機器等のハードウェアを含むものとする。【０１１６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【０１１７】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１１８】
本発明は、複数のチャネルが多重された信号を送信装置から受信した受信装置が、適切な順序で各コードチャネルを検出することができ、受信装置における処理量を減少させることができる送信装置、受信装置、通信システム及び送信方法などに適用できる。
【図１】
2009038178.tif 000006
【図２】
2009038178.tif 000007
【図３】
2009038178.tif 000008
【図４】
2009038178.tif 000009
【図５】
2009038178.tif 000010
【図６】
2009038178.tif 000011
【図７】
2009038178.tif 000012
【図８】
2009038178.tif 000013
【図９】
2009038178.tif 000014
【図１０】
2009038178.tif 000015
【図１１】
2009038178.tif 000016
【図１２】
2009038178.tif 000017
【図１３】
2009038178.tif 000018
【図１４】
2009038178.tif 000019
【図１５】
2009038178.tif 000020
【図１６】
2009038178.tif 000021
【図１７】
2009038178.tif 000022
【図１８】
2009038178.tif 000023
【図１９】
2009038178.tif 000024
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
受信装置と通信する送信装置であって、
多重するチャネルの信号検出順を決定する信号検出順決定部と、
前記信号検出順を用いて、多重するチャネルのうち少なくとも１つのチャネルの送信パラメータが異なるように設定する送信パラメータ制御部と、
前記多重するチャネルの信号検出順を示す情報を前記受信装置に送信する送信部と、
を備えることを特徴とする送信装置。
【請求項２】
前記送信部は、前記送信パラメータを用いて生成されるデータ信号と、前記信号検出順を示す検出順情報とを前記受信装置に送信することを特徴とする請求項１に記載の送信装置。
【請求項３】
前記信号検出順を示す情報は、前記信号検出順と関連付けられて設定された送信パラメータを示す送信パラメータ制御情報であり、
前記送信部は、前記送信パラメータを用いて生成されるデータ信号と、前記送信パラメータ制御情報とを前記受信装置に送信することを特徴とする請求項１に記載の送信装置。
【請求項４】
前記信号検出順を示す情報は、前記信号検出順と関連付けられて設定された送信パラメータを用いて生成されたデータ信号であり、
前記送信部は、前記データ信号を前記受信装置に送信することを特徴とする請求項１に記載の送信装置。
【請求項５】
前記送信パラメータ制御部は、多重するチャネルのうち少なくとも１つのチャネルの送信電力が他のチャネルの送信電力とは異なるように設定し、
前記送信部は、チャネルの送信電力の違いを用いて前記信号検出順を送信することを特徴とする請求項１に記載の送信装置。
【請求項６】
前記信号検出順として、送信電力を高く設定したチャネルほど信号検出順を早くする信号検出順決定部を備えることを特徴とする請求項５に記載の送信装置。
【請求項７】
前記送信パラメータ制御部は、多重するチャネルのうち少なくとも１つのチャネルの変調方式及び符号化率が他のチャネルの変調方式及び符号化率とは異なるように設定し、
前記送信部は、チャネルの変調方式及び符号化率の違いを用いて前記信号検出順を送信することを特徴とする請求項１に記載の送信装置。
【請求項８】
前記信号検出順として、伝送レートの低い変調方式及び符号化率を設定したチャネルほど信号検出順を早くする信号検出順決定部を備えることを特徴とする請求項７に記載の送信装置。
【請求項９】
前記送信パラメータ制御部は、多重するチャネルのうち少なくとも１つのチャネルの変調方式及び符号化率と送信電力が他のチャネルの変調方式及び符号化率と送信電力とは異なるように設定し、
前記送信部は、チャネルの変調方式及び符号化率と送信電力の違いを用いて前記信号検出順を送信することを特徴とする請求項１に記載の送信装置。
【請求項１０】
前記多重するチャネルをコード多重する多重部を備えることを特徴とする請求項１に記載の送信装置。
【請求項１１】
前記多重するチャネルを空間多重する多重部を備えることを特徴とする請求項１に記載の送信装置。
【請求項１２】
送信装置と通信する受信装置であって、
多重するチャネルの信号検出順を決定する信号検出順決定部と、前記信号検出順を用いて、多重するチャネルのうち少なくとも１つのチャネルの送信パラメータが異なるように設定する送信パラメータ制御部と、前記多重するチャネルの信号検出順を示す情報を前記受信装置に送信する送信部とを備える送信装置から信号検出順を取得する検出順取得部と、
前記検出順取得部が取得した検出順に基づいて複数のチャネルから信号を検出する信号検出部と、
を備えることを特徴とする受信装置。
【請求項１３】
送信装置と受信装置とを備える通信システムであって、
前記送信装置は、
多重するチャネル信号検出順を決定する信号検出順決定部と、
前記信号検出順を用いて、多重するチャネルのうち少なくとも１つのチャネルの送信パラメータが異なるように設定する送信パラメータ制御部と、
前記多重するチャネル信号検出順を示す情報を前記受信装置に送信する送信部とを備え、
前記受信装置は、
前記送信装置から信号検出順を取得する検出順取得部と、
前記検出順取得部が取得した検出順に基づいて複数のチャネルから信号を検出する信号検出部とを備えることを特徴とする通信システム。
【請求項１４】
送信装置と受信装置とを備える通信システムであって、
前記送信装置は、
多重する複数のチャネルに連続する番号を割り当てる信号検出順決定部と、
前記チャネル毎に割り当てられた番号を用いて、多重するチャネルのうち少なくとも１つのチャネルの送信パラメータが異なるように設定する送信パラメータ制御部と、
前記多重するチャネルに割り当てられた番号の順を示す情報を前記受信装置に送信する送信部とを備え、
前記受信装置は、
前記送信装置から番号の順を示す情報を取得する検出順取得部と、
前記検出順取得部が取得した番号の順に基づいて複数のチャネルから信号を検出する信号検出部とを備えることを特徴とする通信システム。
【請求項１５】
受信装置と通信する送信装置を用いた送信方法であって、
前記送信装置は、
多重するチャネルの信号検出順を決定する信号検出順決定過程と、
前記信号検出順を用いて、多重するチャネルのうち少なくとも１つのチャネルの送信パラメータが異なるように設定する送信パラメータ制御過程と、
前記多重するチャネルの信号検出順を示す情報を前記受信装置に送信する送信過程と、
を実行することを特徴とする送信方法。
【国際調査報告】
2009038178.tif 000025
2009038178.tif 000026
2009038178.tif 000027
2009038178.tif 000028